(57)【特許請求の範囲】
【請求項１】
ディジタル符号化されたテレビジョン信号を受信するテレビ受信機であって、
上記ディジタル符号化されたテレビジョン信号を解析し、上記ディジタル符号化されたテレビジョン信号をデコードして得られる画像の詳細情報を有する対象物の画面上の位置を示す付加情報を上記テレビジョン信号から分離抽出して出力するディジタルテレビジョン信号解析手段と、
モニタ画面上の、上記ディジタルテレビジョン信号解析手段が出力する付加情報により指定される位置にアイコンを表示する手段と、
上記アイコンを選択する手段と、
アイコンが選択されたときに、ディジタル符号化されたテレビジョン信号をデコードし、該アイコンの位置に対応して送信されている詳細情報を画像信号として出力する画像信号出力手段とを備えたことを特徴とするテレビ受信機。
【請求項２】
請求項１記載のテレビ受信機において、
上記詳細情報を記録する詳細情報記録手段を備えたことを特徴とするテレビ受信機。
【発明の詳細な説明】
【０００１】
【発明の属する技術分野】
本発明は、番組，あるいはコマーシャルとともに、それに関連した別の、もしくはさらに詳細な情報を付加情報として多重したテレビジョン信号を受信するテレビ受信機に関し、特に付加情報を必要に応じて収集記録することができるテレビ受信機に関するものである。
【０００２】
【従来の技術】
近年、テレビジョン放送では、通常の番組，コマーシャルとともに、それに関連した別の、もしくはさらに詳細な情報が、ＶＢＩ多重，ＦＭ多重等により付加情報として多重されたテレビジョン信号を放送する、いわゆる多重放送が実用化されている。かかる方式によれば、同じ放送時間でより多くの情報を提供することができる利点がある。しかしながらユーザ側から見れば、これら情報を受け取るためには受信機を多重放送受信モードに設定して、常時付加情報を見ることをしなければならず、場合によっては情報過多となり、これら氾濫する情報を整理する手だてが必要となってくる。
【０００３】
【発明が解決しようとする課題】
しかしながら、従来、かかる付加情報を効率よく整理することのできるテレビ受信機がなかったため、ユーザにおいては、受信機を多重放送受信モードに設定してこれら付加情報を受け取り画面上に表示して見るだけの利用しかなされていないのが現状である。また、受け取った付加情報を記録する方法としては、多重放送受信モードで受け取った情報をそのままビデオレコーダ等で録画することが考えられるが、この場合、必要とする付加情報のみを記録するためには、画面上に表示された付加情報を見ながら必要とする付加情報が現れたときにビデオレコーダ等の録画操作を行なうという極めて煩雑な作業を繰り返さなければならないという問題があった。
【０００４】
本発明は、かかる現状に鑑みてなされたものであり、通常の番組，コマーシャルとともに、それに関連した別の、もしくはさらに詳細な情報として多重された付加情報を、ユーザの希望により画面上に表示される商品に対応するアイコンを用いて取捨選択して整理し、さらに画面上に表示し、必要に応じて記録できる機能を備えたテレビ受信機を得ることを目的とする。
【０００８】
【課題を解決するための手段】
上記目的を達成するために、本願の請求項１にかかる発明は、ディジタル符号化されたテレビジョン信号を受信するテレビ受信機であって、上記ディジタル符号化されたテレビジョン信号を解析し、上記ディジタル符号化されたテレビジョン信号をデコードして得られる画像の詳細情報を有する対象物の画面上の位置を示す付加情報を上記テレビジョン信号から分離抽出して出力するディジタルテレビジョン信号解析手段と、モニタ画面上の、上記ディジタルテレビジョン信号解析手段が出力する付加情報により指定される位置にアイコンを表示する手段と、上記アイコンを選択する手段と、アイコンが選択されたときに、ディジタル符号化されたテレビジョン信号をデコードし、該アイコンの位置に対応して送信されている詳細情報を画像信号として出力する画像信号出力手段とを備えたものである。
【０００９】
また、本願の請求項２にかかる発明は、上記請求項１記載のテレビ受信機において、上記詳細情報を記録する詳細情報記録手段を備えたものである。
【００１０】
【発明の実施の形態】
実施の形態１．
本願発明の実施の形態１におけるテレビ受信機は、図１に示すように、ＮＴＳＣ（National Television System Committee）映像信号（１０）を受信するテレビ受信機において、上記ＮＴＳＣ映像信号から付加情報コードを分離抽出して出力する付加情報検出手段（Ｍ１）と、該付加情報検出手段が出力する付加情報コードを記録するための付加情報記録手段（Ｍ５）と、上記付加情報検出手段（Ｍ１）が出力する付加情報コードを、所定の制御信号（Ｍ３）に応じて、上記付加情報記録手段（Ｍ５）に対し通過／遮断する付加情報書き込みスイッチ手段（Ｍ４）と、上記付加情報検出手段（Ｍ１）が出力する付加情報コードまたは上記付加情報記録手段（Ｍ５）から読出された付加情報コードを文字または画像に変換する変換手段（Ｍ２）と、上記ＮＴＳＣ映像信号と、上記変換手段（Ｍ２）により文字または画像に変換された付加情報とを合成してモニタ出力信号として出力する信号合成手段（Ｍ７）とを備えたものであり、本実施の形態１によるテレビ受信機は、かかる構成により、通常の番組，コマーシャルとともに、それに関連した別の、もしくはさらに詳細な情報が付加情報として多重されたテレビジョン信号から、必要な情報を選択して収集，記録することができ、この収集，記録された付加情報をデータベースとして様々に利用することができる。
【００１１】
ここで、制御信号（Ｍ３）としては、ユーザが付加情報を記録することを外部から直接要求する記録要求信号を用いることができる。また、ユーザが記録することを望む付加情報を示すコード（キーワード）を保持し、付加情報検出手段（Ｍ１）が出力する付加情報コードがこのキーワードを有する場合に付加情報書き込みスイッチ手段（Ｍ４）を通過状態とする信号を出力するコード比較手段を設け、このコード比較手段の出力を制御信号（Ｍ３）として用いる構成とすることも可能である。このようなコード比較手段を設けることにより、あらかじめキーワードを設定しておけば、いちいちユーザが付加情報を記録することを外部から直接要求することなく、一定時間経過後には所望する付加情報のみを付加情報記録手段（Ｍ５）に蓄積することができる。
【００１２】
実施の形態２．
本願発明の実施の形態２におけるテレビ受信機は、図２に示すように、ディジタル符号化された映像信号２０を受信するテレビ受信機において、上記ディジタル符号化された映像信号２０を解析し、該映像信号に付加情報が含まれている場合に該含まれている付加情報を上記映像信号から分離抽出して付加情報コードとして出力するディジタルテレビジョン信号解析手段（Ｍ８）と、上記ディジタルテレビジョン信号解析手段（Ｍ８）が出力する付加情報コードを記録するための付加情報記録手段（Ｍ５）と、上記ディジタルテレビジョン信号解析手段（Ｍ８）が出力する付加情報コードを、所定の制御信号（Ｍ３）に応じて、上記付加情報記録手段（Ｍ５）に対し通過／遮断する付加情報書き込みスイッチ手段（Ｍ４）と、上記ディジタルテレビジョン信号解析手段（Ｍ８）が出力する付加情報コードまたは上記付加情報記録手段（Ｍ５）から読出された付加情報コードを文字等に変換する変換手段（Ｍ１０）と、上記ディジタル符号化された映像信号を復号化して映像信号を出力する映像信号デコード手段（Ｍ９）と、上記映像信号デコード手段（Ｍ９）から出力される映像信号と、上記変換手段（Ｍ１０）により文字等に変換された付加情報とを合成してモニタ出力信号として出力する信号合成手段（Ｍ７）とを備えたものであり、本実施の形態２によるテレビ受信機は、かかる構成により、通常の番組，コマーシャルとともに、それに関連した別の、もしくはさらに詳細な情報が付加情報として多重されたテレビジョン信号から、必要な情報を選択して収集，記録することができ、この収集，記録された付加情報をデータベースとして様々に利用することができる。
【００１３】
ここで、上記実施の形態１におけるテレビ受信機と同様、制御信号（Ｍ３）としては、ユーザが付加情報を記録することを外部から直接要求する記録要求信号を用いることができる。また、ユーザが記録することを望む付加情報を示すコード（キーワード）を保持し、付加情報検出手段が出力する付加情報コードがこのキーワードを有する場合に付加情報書き込みスイッチ手段（Ｍ４）を通過状態とする信号を出力するコード比較手段を設け、このコード比較手段の出力を制御信号（Ｍ３）として用いる構成とすることも可能である。このようなコード比較手段を設けることにより、あらかじめキーワードを設定しておけば、いちいちユーザが付加情報を記録することを外部から直接要求することなく、一定時間経過後には所望する付加情報のみを付加情報記録手段（Ｍ５）に蓄積することができる。
【００１４】
【実施例】
実施例１．
以下、上記実施の形態１に基づいた、本願発明の実施例１によるテレビ受信機を図３について説明する。図３において、１１は付加情報を表示したい場合にユーザが入力する付加情報表示要求信号、１２は表示されている付加情報を記録するためのユーザからの記録要求信号であり、この記録要求信号１２は、図１に示す制御信号Ｍ３に相当する。１３は記録された付加情報を再生するためのユーザからの再生要求信号である。また１００は、上記ＮＴＳＣ信号１０を入力とし、付加情報が送信されているか否か判定を行うために第２１ラインを検出するライン２１解析手段である。１０１は上記付加情報表示要求信号１１と、ライン２１解析手段１００で付加情報が送信されている状態であることを示す信号１８を入力とするＡＮＤ回路であり、これら信号に基づいて後述する付加情報検出手段１０２をオン／オフ制御するためのものである。１０２は図１に示された付加情報検出手段Ｍ１に相当するもので、上記解析手段１００をスルーした映像信号１４を受け、上記ＡＮＤ回路１０１から出力される制御信号１５によりオン状態となったときに、映像信号１４に含まれる付加情報を分離抽出して出力する付加情報検出手段、１０３は図１の変換手段Ｍ２に相当するもので、付加情報コード１６ａ，１６ｂを文字もしくは画像に変換するコード／文字・画像変換手段、１０４は文字等に変換された付加情報を一時的に蓄積するためのフレームメモリ、１０５はＮＴＳＣ映像信号１０と上記フレームメモリ１０４に蓄積された付加情報信号とを合成してモニタ出力信号１７とする信号合成手段である。これらフレームメモリ１０４，及び信号合成手段１０５が、図１に示す信号合成手段Ｍ７に相当する。１０８は図１に示す付加情報記録手段Ｍ５に相当するもので、付加情報検出手段１０２が出力した付加情報コードを記録，蓄積するための、例えばＨＤＤ（ハードディスクドライバ）等の記録媒体である。また、１０６は記録要求信号１２が入力された場合に、付加情報検出手段１０２が出力する付加情報コード１６ａを、記録用ＨＤＤ１０８に記録することを許可するスイッチであり、図１に示す付加情報書き込みスイッチ手段Ｍ４に相当する。１０７は記録用ＨＤＤ１０８に記録された付加情報を再生要求信号１３が入力された時に読み出し、コード／文字・画像変換手段１０３に出力するためのスイッチである。
【００１５】
次に上記実施例１のテレビ受信機の動作について説明する。受信するＮＴＳＣ映像信号１０としては、付加情報送信となっていることを通知するために、例えば、図４(a) に示すように、垂直帰線期間（VBI=Vertical Blanking Interval）を利用して多重を行い、第２１ラインに次に商品コードが送られてくることを知らせる波形を設け、他のライン、例えば第２２ラインで文字コード（例えばＪＩＳコード）を送る（図４(b) 参照）。ここで例えば、上記パルス幅ＴをＴ＝１／（４×ｆsc）とすると、ＮＴＳＣ方式では色サブキャリア周波数ｆscは３．５８ＭＨｚであるので、パルス幅Ｔは７０nsecとなる。したがって、１ラインでは９１０ドットであるが、ここには既に水平同期パルスやカラーバーストで使用されている部分があり、これを除くと信号に使用できる有効長は一般に７６８ドットである。漢字を使用するのであれば１文字のコーディングに１６bit(ドット) 分必要であるため、結局、１ライン当たり７６８／１６＝４８文字伝送できることになる。
【００１６】
なお、ここで文字に代えて図形情報をビットマップにて送信することが可能であるが、ＮＴＳＣ方式では、伝送容量的な限界がある。たとえば、画像データを８ビット解像度で、Red/Blue/Greenの順に２４ビット送るものとすると、７６８（ドット）／２４＝３２（ドット）分のデータを１ラインで送ることができ、２５６×２５６のサイズのビットマップを送信するには、２５６×２５６／３２＝２０４８（ライン）必要となり、１フィールドで１ライン使用するとすれば、２０４８フィールドが必要となる。一般に６０フィールド／秒であるから、かかるビットマップの送信には、２０４８／６０＝３４秒かかることになり、従って実用的に伝送できる映像データの大きさには限度がある。
【００１７】
続いて、付加情報表示要求信号１１と付加情報送信中であることを示す信号１８の両方がＡＮＤ回路１０１に入力されると、付加情報検出手段１０２はオン状態となり、上述したように、映像信号１４に含まれる、１ライン当たり４８文字の付加情報コードを映像信号から分離抽出して出力する。この付加情報コード１６ａは、記録要求信号１２が入力された場合にはスイッチ１０６がオンして記録用ＨＤＤ１０８に記録されるとともに、コード／文字・画像変換手段１０３により文字に変換されて、１画面分の文字データ等がフレームメモリ１０４に蓄積される。信号合成手段１０５では、ＮＴＳＣ映像信号１０と、上記フレームメモリ１０４に蓄積された１画面分の文字データ等とを合成してモニタ出力信号１７を出力する。
【００１８】
一方、上述の動作によって、記録用ＨＤＤ１０８に蓄積された付加情報コードは、ユーザからの再生要求信号１３が入力された場合、スイッチ１０７がオンして記録用ＨＤＤ１０８から付加情報のデータ１６ｂが読み出され、コード／文字・画像変換手段１０３により文字情報に変換され、１画面分の情報がフレームメモリ１０４で蓄積された後、信号合成手段１０５を介してモニタ出力信号１７として出力される。このとき、ＮＴＳＣ映像信号１０が入力されている場合には、現在受信中の映像信号と合成して文字データが表示され、またＮＴＳＣ映像信号１０を受信していない場合には、画面に文字情報だけが表示される。
【００１９】
上記信号合成手段１０５による映像信号と文字データとの合成の方式は、例えば、２画面分割して表示する等の方法が挙げられる。
【００２０】
なお、以上の説明ではユーザからの記録要求信号１１が入力されたタイミングでコード化された付加情報１６ａが記録される場合について説明したが、例えばコマーシャルの場合には、ユーザが希望する商品コードを予め予約しておき、第２１ラインで送信されてきた商品コードと比較してこれが一致する場合にのみ当該付加情報を記録用ＨＤＤ１０８に記録するようにしてもよい。このようにすることで、一定時間後には自動的にユーザが所望とする情報が蓄積されたデータベースが作成されるようになる。
【００２１】
このように、本実施例１によれば、ＮＴＳＣ方式のテレビ受信機において、通常の映像とともに送信される付加情報を付加情報検出手段１０２を用いて分離抽出し、ユーザの要求に応じてこれを記録用ＨＤＤ１０８に記録する一方、ユーザからの再生要求信号１３によって上記記録された付加情報を取り出し、表示可能としたから、リアルタイムで表示される付加情報を整理して、いつでも必要な時に取り出して見ることができ、付加情報の有効利用が図れる効果がある。また、ユーザが希望する付加情報の種類を予め予約しておくことで、所望とする付加情報のみを選択して、しかも自動的に付加情報が整理され、ユーザ側から見れば一定時間後には知らない間に付加情報を収集することができ、効率の良い情報収集が可能である。
【００２２】
実施例２．
次に、上記実施の形態２に基づいた、本願発明の実施例２によるテレビ受信機を図５について説明する。本実施例２はディジタル符号化されたテレビジョン信号がMPEG2-Video ストリームであるテレビ受信機である。図５において、２００は図２に示すディジタルテレビジョン信号解析手段Ｍ８に相当するもので、MPEG2-Video ストリーム２０を入力とし、該ストリーム２０から文字等の付加情報コードを分離抽出して出力するストリーム解析手段である。このストリーム解析手段２００はユーザからの付加情報表示要求信号１１を受けることによってオン／オフ動作が制御されるようになっている。２０１は図２に示す映像信号デコード手段Ｍ９に相当するもので、上記MPEG2-Video ストリーム２０を入力とし、該符号化された映像情報を通常の映像信号１４に変換するMPEG2-Video デコーダである。その他の部分は図３に示す実施例１において同一符号を付した部分と同様のものである。
【００２３】
以下、上記実施例２のテレビ受信機の動作について説明する。受信するMPEG2-Video ストリーム２０には所定のフォーマットにて映像情報、文字情報等が格納されており、ユーザからの表示要求信号１１が入力された場合、ストリーム解析手段２００はオン状態となり、上記MPEG2-Video ストリーム２０に含まれる文字等の付加情報を取り出しこれを信号１６ａとして出力する。上記付加情報はＭＰＥＧ規格内の User Data（ユーザ用データ）領域（８ビット）を独自に定義して使用する方法が考えられる。すなわち、付加情報であることの識別子を、例えば、'0000 0100' とし、ある商品コードを、'0110 0110 1111 1111 0000 0000' とするなら、次のように定義する。
【００２４】
0000 0000 0000 0000 0000 0000 1011 0010 …User Data Start Code(0xB2)
0000 0100 …付加情報であることを示す識別子
0110 0110 …商品コード２４ビットのうちの最初の８ビット
1111 1111 …商品コード２４ビットのうちの次の８ビット
0000 0000 …商品コード２４ビットのうちの最後の８ビット
0011 1011 …１つの漢字を示す１６ビットのうちの上位８ビット
1100 1101 …１つの漢字を示す１６ビットのうちの下位８ビット
・  ・
・  ・
0000 0000 0000 0000 0000 0001 …ユーザデータの終わりを示すコード
【００２５】
従って上記ストリーム解析手段２００では上述のようなフォーマットのストリームを受けることで現在のストリームが付加情報（'0000 0100' ）であり、商品コード（'0100 0110 1111 1111 0000 0000' ）に関するものであることが識別できる。なお、文字データはユーザデータの終わりを示すコードを送るまでいくらでも送りつづけることができる。
【００２６】
一方、MPEG2-Video デコーダ２０１では入力されたMPEG2-Video ストリーム２０に含まれる映像情報を映像信号１４に変換して信号合成手段１０５に対して出力する。上記ストリーム解析手段２００から出力された付加情報コード１６ａはコード／文字変換手段１０９によりコードから文字への変換が行われ、１画面分のデータとしてフレームメモリに蓄積される。このとき、ユーザからの記録要求信号１２が入力されれば、スイッチ１０６がオンして、ストリーム解析手段２００から出力された付加情報コード１６ａは記録用ＨＤＤ１０８に書き込まれる。
【００２７】
上記フレームメモリ１０４に蓄積された付加情報は、信号合成手段１０５によって、MPEG2-Video デコーダ２０１から出力された映像信号１４と合成されてモニタ出力信号１７となる。
【００２８】
また、上記記録用ＨＤＤ１０８に蓄積された付加情報は、ユーザからの再生要求信号１３が入力されるとスイッチ１０７がオンして記録用ＨＤＤ１０８から読み出され、上記実施例１の場合と同様にしてコード／文字変換手段１０３，フレームメモリ１０９，信号合成手段１０５を経てモニタ出力信号１７となって、例えば、２画面分割等されてモニタ上に表示される。
【００２９】
なお、この実施例においても、上記実施例１と同様に、例えばコマーシャルの場合には、ユーザが希望する商品コードを予め予約しておき、ストリーム解析手段２００で送信されてきたMPEG2-Video ストリームに含まれる商品コードと比較してこれが一致する場合にのみ当該付加情報を記録用ＨＤＤ１０８に記録するようにしてもよい。このようにすることで、一定時間後には自動的にユーザが所望とする情報が蓄積されたデータベースが作成されるようになる。
【００３０】
このように、本実施２によれば、MPEG2-Video 方式を用いたディジタル式のテレビ受信機において、通常の映像とともに送信される付加情報をストリーム解析手段２００で解析して付加情報コード１６ａのみを取り出し、ユーザの要求に応じてこれを記録用ＨＤＤ１０８に記録する一方、ユーザからの再生要求信号１３によって上記記録された付加情報を取り出し、表示可能としたから、リアルタイムで表示される付加情報を整理して、いつでも必要な時に取り出して見ることができ、付加情報の有効利用を図れる効果がある。また、ユーザが希望する付加情報の種類を予め予約しておくことで、所望とする付加情報のみを選択して、しかも自動的に付加情報が整理され、ユーザ側から見れば一定時間後には知らない間に付加情報を収集することができ、効率の良い情報収集が可能である。
【００３１】
実施例３．
次に、上記実施の形態２に基づいた、本願発明の実施例３によるテレビ受信機を図６について説明する。図６において、１１０はストリーム解析手段２００によりMPEG2-Video ストリーム２０から分離抽出された付加情報（ビットマップコードで表示される画像データ）を通常の画像信号に変換するコード／画像変換手段、３００は記録用ＨＤＤ１０８との間でデータのやりとりを行うことが可能なフロッピィディスク等のリムーバブルな記録媒体であり、その他の部分は図５に示す実施例２において同一符号を付した部分と同様のものである。
【００３２】
以下、上記実施例３のテレビ受信機の動作について説明する。付加情報コードの記録，読み出しの基本的な動作は上記実施例２のテレビ受信機と同一であるが、ここでは付加情報として文字ではなく画像データを扱うために付加情報はビットマップ形式となっており、信号合成手段１０５で映像信号１４と合成するために、コード／画像変換手段１１０でコードから画像にデータが変換されるように構成されている点が異なる。このようにMPEG2-Video フォーマットを利用することで、付加情報としては文字情報以外にも図形情報等の情報量が比較的大きいものも付加情報として取り扱うことができ、放送の多重化の範囲を広げることができる。
【００３３】
また、リムーバブルな記録媒体３００は、例えば、記録用ＨＤＤ１０８に蓄積した付加情報は通常、これを読み出してモニタ上に表示することによりユーザが利用することができるが、例えば第３者と必要な情報を交換したりする場合には、該記録用ＨＤＤに蓄積した付加情報のうち、所望とするものを選択して外部に取り出し、リムーバブルな記録媒体３００に書き出し、これを受け取った相手は該記録媒体３００に記録された付加情報を自分の記録用ＨＤＤ１０８に書き込むことにより、第三者が作成した付加情報を自分のデータベース中に取り込むことができ、情報交換等に役立つという効果がある。なお、このようなリムーバブルな記録媒体３００は、上記実施例１，及び実施例２にもこれを適用でき、同様の効果を奏するものである。
【００３４】
実施例４．
次に、本願発明の実施例４によるテレビ受信機を図７について説明する。上記実施例２及び実施例３では、送信するMPEG2-Video ストリーム２０のＭＰＥＧ規格内の User Data領域に付加情報そのものを記述するものであったが、本実施例４では、 User Data領域に、詳細情報が載っているチャンネル番号もしくは静止画番号のみを付加情報として記述するようにしている点が上記実施例２及び実施例３に比べて大きく異なる。すなわち図７において、４００はストリーム解析手段２００で取り出された付加情報（チャンネル番号または静止画番号）信号１９を入力とし、付加情報により指定された、MPEG2-Video ストリーム２０のチャンネル、あるいは付加情報により指定された静止画をデコードするMPEG2-Video 静止画デコーダである。本実施例４では、付加情報に基づいて、MPEG2-Video 静止画デコーダ４００でMPEG2-Video ストリーム２０をデコードして画像信号として出力し、この画像信号を記録用ＨＤＤ１０８に記録する構成としている。
【００３５】
以下、上記実施例４のテレビ受信機の動作について説明する。ストリーム解析手段２００ではMPEG2-Video ストリーム２０に含まれる、付加情報であることを識別するコード，商品コード，詳細情報の載っているチャンネル番号（または静止画の番号）を検出し、後段のMPEG2-Video 静止画デコーダでは上記検出された付加情報により指定された、MPEG2-Vide ストリーム２０のチャンネル、あるいは付加情報により指定された静止画をデコードする。上記付加情報はＭＰＥＧ規格内の User Data（ユーザ用データ）領域（８ビット）を独自に定義して使用する方法が考えられる。すなわち、付加情報であることの識別子を、例えば、'0000 0100' とし、ある商品コードを、'0110 0110 1111 1111 0000 0000' とするなら、次のように定義する。
【００３６】
0000 0000 0000 0000 0000 0000 1011 0010 …User Data Start Code(0xB2)
0000 0100 …付加情報であることを示す識別子
0110 0110 …商品コード２４ビットのうちの最初の８ビット
1111 1111 …商品コード２４ビットのうちの次の８ビット
0000 0000 …商品コード２４ビットのうちの最後の８ビット
0011 1011 …詳細情報の載っているチャンネル番号（または静止画番号）
1100 1101 …詳細情報の載っているチャンネル番号（または静止画番号）
・  ・
・  ・
0000 0000 0000 0000 0000 0001 …ユーザデータの終わりを示すコード
【００３７】
従って上記ストリーム解析手段２００では上述のようなフォーマットのストリームを受けることで現在のストリームが付加情報（'0000 0100' ）であり、商品コード（'0100 0110 1111 1111 0000 0000' ）に関するものであることを識別でき、続くチャンネル番号，あるいは静止画番号の情報に基づいて、MPEG2-Video 静止画デコーダ４００でMPEG2-Video ストリームをデコードすることによって、詳細情報である画像信号を得る。得られた画像信号はフレームメモリ１０４に記憶される。このとき、ユーザからの記録要求信号１２が入力されていればスイッチ１０６がオンして当該詳細情報である画像信号は記録用ＨＤＤ１０８に記録される。一方、MPEG2-Video デコーダ２０１は入力されたMPEG2-Video ストリーム２０の上記付加情報を含むチャンネルの動画を通常のデコード動作により映像信号１４に変換して信号合成手段１０５に出力する。そして、映像信号１４は、フレームメモリ１０４に記憶された，MPEG2-Video 静止画デコーダ４００によりデコードされた画像信号と合成されてモニタ信号１７として出力される。合成方法としては上記各実施例と同様に、２画面分割やオーバラップ形式が考えられる。
【００３８】
また、上述のようにして記録用ＨＤＤ１０８に蓄積された画像信号は、ユーザからの再生要求信号１３が入力されると、スイッチ１０７がオンしてフレームメモリ１０４に呼び出され、ここで１画面分のデータとなって現在受信中の映像信号があれば、信号合成手段１０５にてそれと合成されてモニタ信号１７として出力される。
【００３９】
このように本実施例４によれば、MPEG2-Video ストリーム２０のＭＰＥＧ規格内の User Data領域に詳細情報が載っているチャンネル番号もしくは静止画の番号を付加情報として記述したものとし、この付加情報に基づいてMPEG2-Video 静止画デコーダ４００でMPEG2-Video ストリーム２０をデコードして得られた画像信号とMPEG2-Video デコーダ２０１でMPEG2-Video ストリーム２０をデコードして得られた映像信号１４とを信号合成手段１０５で合成するようにしたから、付加情報データを一括的に管理することができる。
【００４０】
なお、付加情報をMPEG2-Video レイヤで記述する代わりに、MPEG2-Systems における記述を別途同様に定義してもよく、全く同様の効果が得られる。以下、これを図８を用いて説明する。
【００４１】
図８において、ストリーム解析手段２００は、ビデオ，オーディオ，データの混在したMPEG2-Systems ビットストリーム２０（システムストリーム）を受け、ユーザが今視聴しているビデオのストリームをメインのデコーダ２０３に供給する。またこのMPEG2-Systems ビットストリームに付随した付加映像データ（ただしこれが存在する場合のみ）を付加情報用デコーダ２０２に供給する。
【００４２】
それぞれのデコーダ２０１，２０２は入力されたそれぞれのストリームをデコードし、映像信号に変換する。どのストリームが今視聴者の視聴しているビデオストリームの付加情報なのかは、MPEG2-Systemで規定される構文にのっとってユーザ定義領域で独自に定義される。
【００４３】
ここで、付加情報は静止画である必要はない。特にディジタル伝送では動画の伝送も容易である。
もしユーザからの記録要求１２があれば、記録用ＨＤＤ１０８にストリームのまま記録する。このとき、圧縮されたままの情報で記録することが可能となるため、記録媒体の容量を有効に利用できる。
【００４４】
そしてユーザからの再生要求信号１３が入力されると、セレクタ２０４により、記録用ＨＤＤ１０８から読み出された付加情報ストリームのみが付加情報用デコーダ２０２に供給されて、該デコーダ２０２に２０２でデコードされ、該デコードされた付加情報はメイン画像のデコード結果（メイン画像用デコーダ２０３の出力）と信号合成手段１０５で合成され、モニタ出力信号１７として出力される。このモニタ上での出力形式としては、ともに動画である，左右２画面分割形式，ピクチャー・イン・ピクチャー形式等が考えられる。
【００４５】
なお、以上の実施例において用いてきた、MPEG2-System，MPEG2-Video は、国際基準として規定されている規格である。
また、上記各実施例で蓄積したデータをブラウン管に表示するだけではなく、プリンタ等の印刷装置に出力するようにしてもよい。
【００４６】
さらに、上記各実施例を双方向通信形式のものとし、蓄積したデータを基にしてホームショッピングに対応させるようにしてもよい。なお、双方向通信形式に関しては、例えば、特開平７−１２３３７５号公報に示されるような周知のｍのがある。
【００４７】
また、上記各実施例では、付加情報のみを記録用ＨＤＤ１０８に記録するようにしたが、付加情報とともに映像信号を記録するようにしてもよい。この場合、付加情報が重畳されるタイミングがその映像信号よりも遅れて行われるために、付加情報に基づいて映像信号を記録するためには、例えば約１５秒程度の映像信号を蓄積できる容量を有する画像メモリを設けておく必要がある。
【００４８】
さらに、上記実施例２ないし実施例４では、付加情報の内容または付加情報のチャンネル番号もしくは静止画番号を記録するようにしたが、アイコンを画面上に表示させて、そのアイコンを選択することにより詳細情報を取得する構成としてもよい。
【００４９】
すなわち、詳細情報を有する対象物、例えば商品が表示されている画面上の位置とその詳細情報とを送信時に関連して定義付けしておくことで、受信側ではユーザの指定に従ってアイコンを上記詳細情報を有する商品が表示されている画面上の位置に表示し、ユーザによるアイコン選択に応じて、選択されたアイコンの位置に対応する詳細情報を別のチャンネル，または静止画をデコードすることによって取得し、これを画面上に表示し、必要に応じて記録することができる。
【００５０】
付加情報の記述例としては、ＭＰＥＧ規格内のユーザ用データ領域を独自に定義して使用する方法が考えられる。すなわち、付加情報であることの識別子を、例えば、'0000 0100' とし、ある商品コードを、'0110 0110 1111 1111 0000 0000' とするなら、次のように定義する。
【００５１】
0000 0000 0000 0000 0000 0000 1011 0010 …User Data Start Code(0xB2)
0000 0100 …付加情報であることを示す識別子
0000 0000 …Ｘ座標を表現する１６ビットのうちの上位８ビット
1000 0000 …Ｘ座標を表現する１６ビットのうちの下位８ビット
0000 0001 …Ｙ座標を表現する１６ビットのうちの上位８ビット
0000 0000 …Ｙ座標を表現する１６ビットのうちの下位８ビット
0110 0110 …商品コード２４ビットのうちの最初の８ビット
1111 1111 …商品コード２４ビットのうちの次の８ビット
0000 0000 …商品コード２４ビットのうちの最後の８ビット
0011 1011 …詳細情報の載っているチャンネル番号（または静止画番号）
1100 1101 …詳細情報の載っているチャンネル番号（または静止画番号）
・  ・
・  ・
0000 0000 0000 0000 0000 0001 …ユーザデータの終わりを示すコード
【００５２】
このような付加情報に基づき、受信側のデコーダは、ユーザの要求に応じて、記述された画面上の座標位置、例えば（１２８，２５６）の座標位置にアイコンを表示し、ユーザがリモコン等により該アイコンを選択したときに、詳細情報の載っているチャンネル、または静止画をデコードし、その座標位置に表示されている商品等の詳細情報を画面上に表示することができる。そして上記各実施例と同様に必要に応じて記録，印字することも可能である。
【００５３】
また、本実施例においても、付加情報の記述をMPEG2-Systemのユーザ定義領域を使用しても全く同じ効果が得られる。
【図面の簡単な説明】
【図１】本発明の実施の形態１にかかるテレビ受信機の付加情報取り込み回路の構成を示すブロック図である。
【図２】本発明の実施の形態２にかかるテレビ受信機の付加情報取り込み回路の構成を示すブロック図である。
【図３】本発明の実施例１にかかるテレビ受信機の付加情報取り込み回路の構成を示すブロック図である。
【図４】上記実施例１のテレビ受信機に入力されるＮＴＳＣ信号の付加情報の始まりを示すラインの波形を示す図（図４(a) ）、及びＮＴＳＣ信号の付加情報のデータを示すラインの波形を示す図（図４(b) ）である。
【図５】本発明の実施例２にかかるテレビ受信機の付加情報取り込み回路の構成を示すブロック図である。
【図６】本発明の実施例３にかかるテレビ受信機の付加情報取り込み回路の構成を示すブロック図である。
【図７】本発明の実施例４にかかるテレビ受信機の付加情報取り込み回路の構成を示すブロック図である。
【図８】本発明の実施例４にかかるテレビ受信機において、MPEG2-systems 規格を用いた場合の付加情報取り込み回路の構成を示すブロック図である。
【符号の説明】
Ｃ１，Ｃ２…付加情報取り込み回路
Ｍ１…付加情報検出手段
Ｍ２…変換手段
Ｍ３…制御信号
Ｍ４…付加情報書き込みスイッチ手段
Ｍ５…付加情報記録手段
Ｍ６…付加情報読み出し手段
Ｍ７…信号合成手段
Ｍ８…ディジタルテレビジョン信号解析手段
Ｍ９…映像信号デコード手段
Ｍ１０…変換手段
１０…ＮＴＳＣ信号
１１…付加情報表示要求信号
１２…付加情報書き込み要求信号
１３…付加情報再生要求信号
１４…映像信号
１５…制御信号
１６ａ，１６ｂ…コード化された付加解析手段
１７…モニタ出力信号
１８…付加情報が送信されていることを示す信号
１９…付加情報
２０…MPEG2-Video ストリーム
１００…ライン２１解析手段
１０１…ＡＮＤ回路
１０２…付加情報検出手段
１０３…コード／文字・画像変換手段
１０４…フレームメモリ
１０５…信号合成手段
１０６，１０７…スイッチ
１０８…記録用ＨＤＤ
１０９…コード／文字変換手段
１１０…コード／画像変換手段
２００…ストリーム解析手段
２０１…MPEG2-Video デコーダ
２０２…付加情報用デコーダ
２０３…メイン画像用デコーダ
２０４…セレクタ
３００…フロッピィディスク等のリムーバブルな記憶手段
４００…MPEG2-Video 静止画デコーダ
【図１】
0003899021.tif 000002
【図２】
0003899021.tif 000003
【図３】
0003899021.tif 000004
【図４】
0003899021.tif 000005
【図５】
0003899021.tif 000006
【図６】
0003899021.tif 000007
【図７】
0003899021.tif 000008
【図８】
0003899021.tif 000009